(57)【要約】【課題】トイレ等の処理空間において即効性、及び持続性に優れた消臭効果を発揮することができる消臭用エアゾールを提供する。【解決手段】消臭成分と有機溶剤とを含有するエアゾール原液、及び噴射剤を封入してなる定量噴射バルブが設けられた耐圧容器と、定量噴射バルブに接続される噴射口が設けられた噴射ボタンと、を備えた消臭用エアゾールであって、噴射ボタンを１回押下したときの噴射容量が０．１〜０．４ｍＬとなり、且つ噴射距離２０ｃｍにおける噴射力が２５℃において０．３〜１０．０ｇ・ｆとなるように調整され、噴射ボタンを１回押下して耐圧容器内のエアゾール原液を２．５〜３．５ｍ３の処理空間に噴射したとき、噴射されたエアゾール原液の５０容量％以上が６０分以内に処理空間内の露出部に付着する付着性粒子を形成するように構成されている。【選択図】なし【特許請求の範囲】
【請求項１】
消臭成分と有機溶剤とを含有するエアゾール原液、及び噴射剤を封入してなる定量噴射バルブが設けられた耐圧容器と、
前記定量噴射バルブに接続される噴射口が設けられた噴射ボタンと、
を備えた消臭用エアゾールであって、
前記噴射ボタンを１回押下したときの噴射容量が０．１〜０．４ｍＬとなり、且つ噴射距離２０ｃｍにおける噴射力が２５℃において０．３〜１０．０ｇ・ｆとなるように調整され、
前記噴射ボタンを１回押下して前記耐圧容器内の前記エアゾール原液を２．５〜３．５ｍ３の処理空間に噴射したとき、噴射された前記エアゾール原液の５０容量％以上が６０分以内に前記処理空間内の露出部に付着する付着性粒子を形成するように構成されているトイレの悪臭を消臭するための消臭用エアゾール。
【請求項２】
前記消臭成分は、アルカリ性ガス及び酸性ガスの何れとも反応して中和する請求項１に記載の消臭用エアゾール。
【請求項３】
前記消臭成分は、アルカリ性ガスと反応して中和することができる植物性消臭成分及び酸性ガスと反応して中和することができる植物性消臭成分の混合物、又はアルカリ性ガス及び酸性ガスの何れとも反応して中和することができる植物性消臭成分を含む請求項１又は２に記載の消臭用エアゾール。
【請求項４】
前記噴射ボタンを押下して前記耐圧容器内の前記エアゾール原液を噴射したときに形成される噴射粒子は、２５℃、噴射距離１５ｃｍにおける体積積算分布での９０％粒子径が４０〜６０μｍである請求項１〜３の何れか一項に記載の消臭用エアゾール。
【請求項５】
前記耐圧容器に封入される前記エアゾール原液（ａ）と前記噴射剤（ｂ）との容量比率（ａ／ｂ）は、１０／９０〜５０／５０である請求項１〜４の何れか一項に記載の消臭用エアゾール。
【請求項６】
前記有機溶剤は、高級脂肪酸エステル、及びアルコール類からなる群から選択される少なくとも１種である請求項１〜５の何れか一項に記載の消臭用エアゾール。
【請求項７】
前記消臭成分は、植物抽出物、及びハーモナイズド香料を含む請求項１〜６の何れか一項に記載の消臭用エアゾール。
【請求項８】
前記噴射口は、０．２〜１．０ｍｍの噴口径を有する請求項１〜７の何れか一項に記載の消臭用エアゾール。
【請求項９】
前記エアゾール原液は、さらに青葉アルコール及び／又は青葉アルデヒドを含む請求項１〜８の何れか一項に記載の消臭用エアゾール。
【請求項１０】
噴射された前記エアゾール原液は、１２０秒後までに前記処理空間全体に拡散する請求項１〜９の何れか一項に記載の消臭用エアゾール。
【請求項１１】
前記エアゾール原液の気中濃度は、噴射から１２０秒後までに、前記処理空間の９５％以上において０．０００７ｐｐｍ以上となる請求項１〜１０の何れか一項に記載の消臭用エアゾール。
【発明の詳細な説明】
【技術分野】
【０００１】
本発明は、消臭効果の即効性及び持続性に優れた消臭用エアゾールに関する。
【背景技術】
【０００２】
トイレ空間の悪臭を消臭するための製品として、消臭成分を配合した消臭剤が市販されている。トイレ空間用の消臭剤としては、室内に静置して消臭成分を揮散させることで持続的に消臭効果を得る静置型や、スプレーによって消臭成分を室内に噴霧する噴霧型等、様々なものが知られているが、中でも、用便後に臭気を消臭する用途や、外出先で臭気の強いトイレを消臭する用途等、即効性が求められる用途に適したものとして消臭用エアゾールが知られている。
【０００３】
特許文献１には、十分な量の芳香剤の薬剤粒子を速やかに処理空間に拡散させ、気中に滞留する悪臭を芳香剤の香りによりマスキングすることで消臭効果を得つつ、消臭後に芳香剤の香りをすばやく消失させる消臭用エアゾールが開示されている。
【先行技術文献】
【特許文献】
【０００４】
【特許文献１】国際公開第２０１７／０７３４７８号
【発明の概要】
【発明が解決しようとする課題】
【０００５】
しかしながら、特許文献１のように、薬剤粒子を速やかに処理空間に拡散させ、その後すばやく芳香剤の香りを消失させる手法は、継続的に発生する悪臭に対しては消臭効果を十分に及ぼすことができず、結果的に消臭が不完全となり得る。かといって、一般住宅等のトイレは２．５〜３．５ｍ３程度の狭小な空間であるため、処理空間に放出する薬剤粒子の量を増やすことは、処理空間内にいる使用者に薬剤粒子の芳香を強く感じさせ、特に、強い芳香を好まない消費者に不快感を抱かせる懸念がある。
【０００６】
本発明は、上記問題点に鑑みてなされたものであり、トイレ等の処理空間において即効性、及び持続性に優れた消臭効果を発揮することができる消臭用エアゾールを提供することを目的とする。
【課題を解決するための手段】
【０００７】
上記課題を解決するための本発明に係る消臭用エアゾールの特徴構成は、
消臭成分と有機溶剤とを含有するエアゾール原液、及び噴射剤を封入してなる定量噴射バルブが設けられた耐圧容器と、
前記定量噴射バルブに接続される噴射口が設けられた噴射ボタンと、
を備えた消臭用エアゾールであって、
前記噴射ボタンを１回押下したときの噴射容量が０．１〜０．４ｍＬとなり、且つ噴射距離２０ｃｍにおける噴射力が２５℃において０．３〜１０．０ｇ・ｆとなるように調整され、
前記噴射ボタンを１回押下して前記耐圧容器内の前記エアゾール原液を２．５〜３．５ｍ３の処理空間に噴射したとき、噴射された前記エアゾール原液の５０容量％以上が６０分以内に前記処理空間内の露出部に付着する付着性粒子を形成するように構成されていることにある。
【０００８】
トイレでの悪臭は処理空間の気中に滞留しているだけではなく、壁面、床面等に飛散し付着した尿等の悪臭源から継続的に発生している。本発明者らは、壁面等に付着している悪臭源から発生する悪臭に対する消臭効果を高めることが、トイレでの悪臭に対する消臭効果の向上に繋がると考えた。そこで、本発明に係る消臭用エアゾールでは、処理空間に噴射されたエアゾール原液の５０容量％以上が、付着性粒子を形成するものとした。付着性粒子とは、消臭用エアゾールからエアゾール原液を２．５〜３．５ｍ３の処理空間に噴射したときに形成される噴射粒子のうち、噴射後６０分以内に処理空間内の露出部（例えば、トイレ空間内に存在する床面や壁面、便器等の構造物の表面等）に付着する粒子である。このため、露出部に付着している悪臭源から発生する悪臭、及び処理空間の気中に滞留している悪臭の両方を効果的に消臭することができ、処理空間全体の消臭効果を向上させることができる。また、付着性粒子以外の噴射粒子（これを、「浮遊性粒子」と称する。）が処理空間全体に満遍なく拡散しても、処理空間中のエアゾール原液の濃度は付着性粒子の分だけ低減される。そのため、処理空間内にいる使用者がエアゾール原液の粒子を吸入する量は極微量となり、エアゾール原液自体から過剰な芳香を感じることを抑制することができる。また、本発明に係る消臭用エアゾールは、噴射ボタンを１回押下したときの噴射容量が０．１〜０．４ｍＬとなり、且つ噴射距離２０ｃｍにおける噴射力が２５℃において０．３〜１０．０ｇ・ｆとなるように調整されている。このように噴射容量、及び噴射力を調整することで、適切なサイズの付着性粒子を形成することができ、トイレ等の処理空間での優れた消臭効果を奏することができる。
【０００９】
本発明に係る消臭用エアゾールにおいて、
前記噴射ボタンを押下して前記耐圧容器内の前記エアゾール原液を噴射したときに形成される噴射粒子は、２５℃、噴射距離１５ｃｍにおける体積積算分布での９０％粒子径が４０〜６０μｍであるであることが好ましい。
【００１０】
噴射粒子の粒子径を上記の最適な範囲に調整することによって、噴射粒子の一部が付着性粒子となり、残りが浮遊性粒子となる。このため、本構成の消臭用エアゾールによれば、処理空間の気中に漂う悪臭と、露出部に付着している悪臭源から生じる悪臭との何れも消臭することができる。
【００１１】
本発明に係る消臭用エアゾールにおいて、
前記耐圧容器に封入される前記エアゾール原液（ａ）と前記噴射剤（ｂ）との容量比率（ａ／ｂ）は、１０／９０〜５０／５０であることが好ましい。
【００１２】
本構成の消臭用エアゾールによれば、エアゾール原液（ａ）と噴射剤（ｂ）との容量比率（ａ／ｂ）が上記の範囲である場合、噴射されるエアゾール原液より形成される付着性粒子と浮遊性粒子とのバランスが最適となる。これにより、付着性粒子は確実に処理空間内の露出部に到達することができ、また、浮遊性粒子は過剰な芳香により不快感を与えない程度の量で処理空間を浮遊することができる。このように、付着性粒子、及び浮遊性粒子が夫々最適な状態で存在し、夫々の役割を分担して消臭成分の効果を最大限発揮することができる。
【００１３】
本発明に係る消臭用エアゾールにおいて、
前記有機溶剤は、高級脂肪酸エステル、及びアルコール類からなる群から選択される少なくとも１種であることが好ましい。
【００１４】
本構成の消臭用エアゾールによれば、有機溶剤として、高級脂肪酸エステル、又はアルコール類を使用することで、各成分の効果を効率良く発揮させることができる。また、エアゾール原液を噴射した場合、付着性粒子、及び浮遊性粒子をバランスよく形成することができ、消臭効果が安定したものとなる。
【００１５】
本発明に係る消臭用エアゾールにおいて、
前記消臭成分は、植物抽出物、及びハーモナイズド香料を含むことが好ましい。
【００１６】
本構成の消臭用エアゾールによれば、トイレにおける糞尿臭等の悪臭にハーモナイズド香料が調和して、悪臭を良い香りと認識させる感覚的消臭の効果を得ることができる。
【００１７】
本発明に係る消臭用エアゾールにおいて、
前記噴射口は、０．２〜１．０ｍｍの噴口径を有することが好ましい。
【００１８】
本構成の消臭用エアゾールによれば、噴口径が上記の範囲である場合、噴射されるエアゾール原液より形成される付着性粒子と浮遊性粒子とのバランスがより最適化される。
【００１９】
本発明に係る消臭用エアゾールにおいて、
前記エアゾール原液は、さらに青葉アルコール及び／又は青葉アルデヒドを含むことが好ましい。
【００２０】
本構成の消臭用エアゾールによれば、疲労・ストレスの軽減等のリラックス効果が期待される青葉アルコールや青葉アルデヒドをエアゾール原液に含有させることにより、消臭用エアゾールからエアゾール原液を噴射した処理空間をより快適な空間とすることができる。
【００２１】
本発明に係る消臭用エアゾールにおいて、
噴射された前記エアゾール原液は、１２０秒後までに前記処理空間全体に拡散することが好ましい。
【００２２】
本構成の消臭用エアゾールによれば、噴射されたエアゾール原液が１２０秒以内に処理空間全体に満遍なく拡散するため、人の通常のトイレ利用時間内に天井付近に滞留する悪臭、及び床面付近に滞留する悪臭の何れに対しても、即効性に優れた消臭効果を発揮することができる。
【００２３】
本発明に係る消臭用エアゾールにおいて、前記エアゾール原液の気中濃度は、噴射から１２０秒後までに、前記処理空間の９５％以上において０．０００７ｐｐｍ以上となることが好ましい。
【００２４】
本構成の消臭用エアゾールによれば、エアゾール原液の気中濃度が、噴射から１２０秒後までに、処理空間の９５％以上において０．０００７ｐｐｍ以上となるため、処理空間の天井付近から床面付近まで偏りなく付着性粒子を形成することができる。
【００２５】
本発明に係る消臭用エアゾールにおいて、
前記処理空間は、トイレであることが好ましい。
【００２６】
本構成の消臭用エアゾールによれば、トイレの壁面、床面、便器等の露出部に付着性粒子が付着することで、露出部に付着している悪臭源から生じる悪臭に対して、持続的な消臭効果を得ることができる。
【図面の簡単な説明】
【００２７】
【図１】図１は、本発明に係る消臭用エアゾールを３ｍ３の処理空間に噴射したときの拡散シミュレーションの説明図である。
【発明を実施するための形態】
【００２８】
本発明の消臭用エアゾールは、消臭成分と有機溶剤とを含有するエアゾール原液、及び噴射剤を封入してなる定量噴射バルブが設けられた耐圧容器と、定量噴射バルブに接続される噴射口が設けられた噴射ボタンとを備え、噴射ボタンを押下して耐圧容器内のエアゾール原液を噴射したときに、噴射されたエアゾール原液の５０容量％以上を付着性粒子として形成することができる。付着性粒子とは、消臭用エアゾールからエアゾール原液を２．５〜３．５ｍ３の処理空間に噴射したときに形成される噴射粒子のうち、噴射後６０分以内に処理空間内の露出部に付着する噴射粒子である。以下、本発明の消臭用エアゾールについて説明する。ただし、本発明は、以下に説明する実施形態や図面に記載される構成に限定されることを意図しない。
【００２９】
＜エアゾール原液＞
［消臭成分］
エアゾール原液の一つの主成分である消臭成分は、植物性消臭成分、及びハーモナイズド香料を含むことが好ましい。植物性消臭成分は、悪臭を呈する臭気物質と反応して悪臭を消臭する、所謂、化学的消臭効果をもたらす。そのような植物性消臭成分として、シナレンギョウ、イチョウ、イチジク等の抽出物が好適に選択される。これらの植物性消臭成分は、単独又は混合状態の何れでも使用可能である。特に、植物性消臭成分には、酸性ガス及びアルカリ性ガスの何れとも反応して中和するものを使用することが好ましい。あるいは、酸性ガスを中和する植物性消臭成分と、アルカリ性ガスを中和する植物性消臭成分とを混合して使用してもよい。
【００３０】
ハーモナイズド香料は、糞尿臭等の悪臭を香り構成要素の一つとして取り込むことで良い香り（香気）に転換することを意図して調香された香料である。そのため、ハーモナイズド香料は、香りの構成要素の一つとした悪臭が存在する環境で嗅ぐことで、人に良い香りとして知覚されるという、感覚的消臭効果をもたらす。以下、感覚的消臭効果により、悪臭による不快感が軽減されることを、悪臭がハーモナイズされると表現する。
【００３１】
［有機溶剤］
エアゾール原液のもう一つの主成分である有機溶剤は、上記の消臭成分を溶解してエアゾール原液を調製することができ、また、調製したエアゾール原液を処理空間に噴射したとき、最適な粒子を形成し得るものが使用される。有機溶剤としては、高級脂肪酸エステル、及びアルコール類が好ましい。高級脂肪酸エステルとしては、炭素数の総数が１６〜２０のものが好ましく、例えば、ミリスチン酸イソプロピル、ミリスチン酸ブチル、ラウリン酸ヘキシル、パルミチン酸イソプロピル等が挙げられる。これらのうち、ミリスチン酸イソプロピルが特に好適である。アルコール類としては、炭素数が２〜３の低級アルコールが好ましく、例えば、エタノール、イソプロパノール、プロパノールが挙げられる。これらのうち、エタノールが特に好適である。有機溶媒には、例えば、ｎ−パラフィン、及びイソパラフィン等の炭化水素系溶剤や、炭素数３〜６のグリコールエーテル類、及びケトン系溶剤等を混合することもできる。
【００３２】
［その他の成分］
本発明の消臭用エアゾールは、上記成分に加え、芳香剤、カビ類や菌類等を対象とした防カビ剤、抗菌剤、殺菌剤、安定化剤、帯電防止剤、消泡剤、賦形剤等をエアゾール原液に適宜配合することもできる。例えば、エアゾール原液が芳香剤を含有することで、芳香剤の香気により処理空間に漂う悪臭をマスキングすることができる。芳香剤としては、オレンジ油、レモン油、ラベンダー油、ペパーミント油、ユーカリ油、シトロネラ油、ライム油、ユズ油、ジャスミン油、檜油、緑茶精油、リモネン、α−ピネン、リナロール、ゲラニオール、フェニルエチルアルコール、アミルシンナミックアルデヒド、クミンアルデヒド、ベンジルアセテート等の芳香成分、「みどりの香り」と呼ばれる青葉アルコール（ｃｉｓ−３−ｈｅｘｅｎｏｌ）や青葉アルデヒド配合の香料成分等が挙げられる。芳香剤の配合によりエアゾール原液をシトラス、ローズ、及びラベンダー等の香調とすることで、消費者の嗜好性を満たすことができる。また、疲労・ストレスの軽減等のリラックス効果が期待される青葉アルコールの配合により、消臭用エアゾールをトイレに噴射した際に、トイレをより快適な空間とすることができる。防カビ剤、抗菌剤、及び殺菌剤としては、ヒノキチオール、２−メルカプトベンゾチアゾール、２−（４−チアゾリル）ベンツイミダゾール、５−クロロ−２−メチル−４−イソチアゾリン−３−オン、トリホリン、３−メチル−４−イソプロピルフェノール、オルト−フェニルフェノール等が挙げられる。
【００３３】
＜噴射剤＞
本発明の消臭用エアゾールで用いる噴射剤としては、液化石油ガス（ＬＰＧ）、ジメチルエーテル（ＤＭＥ）、窒素ガス、炭酸ガス、亜酸化窒素、圧縮空気等が挙げられる。上記の噴射剤は、単独又は混合状態で使用することができるが、ＬＰＧを主成分としたものが使い易い。
【００３４】
本発明の消臭用エアゾールは、エアゾール原液（ａ）と噴射剤（ｂ）との容量比率（ａ／ｂ）が、１０／９０〜５０／５０となるように調整される。このような範囲に調整すれば、噴射されたエアゾール原液の少なくとも一部を付着性粒子として形成することができる。これにより、付着性粒子は確実に処理空間内の露出部に到達することができ、また、浮遊性粒子は過剰な芳香により不快感を与えない程度の量で処理空間を浮遊することができる。また、付着性粒子と浮遊性粒子との両方が形成される場合は、両者のバランスが最適となる。このように、付着性粒子、及び浮遊性粒子は夫々が最適な状態で存在し、夫々の役割を分担して消臭効果を最大限発揮することができる。容量比率（ａ／ｂ）を１０／９０より小さくする、つまり、耐圧容器内に封入する噴射剤（ｂ）の割合を大きくすると、噴射されるエアゾール原液が必要以上に微細化されるため、付着性粒子が減少する。これにより、処理空間内の露出部に付着する付着性粒子が不足するため、露出部に付着している悪臭源から継続的に発生する悪臭を十分に消臭することができず、消臭効果の持続性が不足する場合がある。一方、容量比率（ａ／ｂ）を５０／５０より大きくする、つまり、耐圧容器内に封入する噴射剤（ｂ）の割合を小さくすると、噴射されるエアゾール原液を最適な範囲の粒子径を有する付着性粒子、及び浮遊性粒子として形成することが困難となるため、エアゾール原液は噴射されるとすぐに沈降する。そのため、処理空間を浮遊する浮遊性粒子が量的に不足し、悪臭を速やかに消臭することが困難になる。
【００３５】
＜消臭用エアゾール＞
上記のように、消臭成分、有機溶剤、噴射剤、その他必要に応じて配合される成分を選択し、これらを耐圧容器に封入することで、エアゾール製品が完成する。このエアゾール製品は、本発明の消臭用エアゾールであり、処理空間にエアゾール原液を噴射するものである。エアゾール原液は、主に、消臭成分と有機溶剤とから構成されるものであり、厳密には噴射剤とは別のものであるが、エアゾール原液は噴射剤と同時に耐圧容器の外部に放出されるため、以降の説明では、エアゾール原液及び噴射剤を含むエアゾール内容物を「エアゾール原液」として取り扱う場合がある。
【００３６】
ここで、本発明に係る消臭用エアゾールが備える噴射バルブについて説明する。本発明に係る消臭用エアゾールは、主に、耐圧容器（エアゾール容器）、定量噴射バルブ、及び噴射ボタンから構成されている。定量噴射バルブには、エアゾール原液を噴射するための作動部である噴射ボタンが接続されてあり、噴射ボタンには、エアゾール原液がエアゾール容器から外部（処理空間）へ噴出する噴射口が設けられてある。
【００３７】
消臭用エアゾールの噴射ボタンを１回押下した場合、噴射剤の圧力によって定量噴射バルブが作動し、耐圧容器内のエアゾール原液が噴射口に上昇し、処理空間に噴射される。このときのエアゾール原液の噴射容量は、０．１〜０．４ｍＬに調整され、より好ましくは０．２〜０．４ｍＬに調整される。このような範囲であれば、エアゾール原液の少なくとも一部が付着性粒子として形成される。また、付着性粒子、及び浮遊性粒子の両方が形成される場合は、夫々が、処理空間において最適に消臭効果を発揮し得るようにバランス良く形成される。噴射容量が０．１ｍＬ未満であれば、噴射容量が少なすぎるため、付着性粒子が処理空間内の露出部に十分に付着せず、露出部に付着している悪臭源から継続的に発生する悪臭を消臭することが困難となる。また、浮遊性粒子も少なくなるため、処理空間で気中に漂う悪臭に対する消臭も不十分となる。一方、噴射容量が０．４ｍＬを超えると、処理空間に必要以上にエアゾール原液が放出されるため、強い芳香を好まない消費者に不快感を与える虞があり、また、エアゾール原液の使用量も過大となるため、経済的にも不利である。
【００３８】
消臭用エアゾールは、噴射口からの距離が２０ｃｍの箇所における噴射力が２５℃において、０．３〜１０．０ｇ・ｆとなるように調整されている。このような範囲であれば、１回の噴射によって、エアゾール原液から形成される付着性粒子を処理空間内の露出部にスムーズに到達させることができ、消臭成分の効果を迅速に発揮させることができる。さらに、噴射口の噴口径は０．２〜１．０ｍｍに設定することが好ましい。この範囲であれば、上記の粒子径、及び噴射力に適切に調整することができ、処理空間に噴射されたエアゾール原液の少なくとも一部が付着性粒子として最適に形成され、露出部に付着している悪臭源から継続的に発生する悪臭を消臭することができる。
【００３９】
消臭用エアゾールから噴射される噴射粒子の粒子径は、２５℃、噴射距離１５ｃｍにおける積算体積分布での９０％粒子径が４０〜６０μｍに調整されていることが好ましい。このような範囲であれば、エアゾール原液が２．５〜３．５ｍ３の処理空間に噴射された際、噴射されたエアゾール原液の５０容量％以上を、付着性粒子として形成することができ、十分な量の付着性粒子が速やかに処理空間内の露出部に移動し、付着することができる。そのため、露出部に付着している悪臭源から継続的に発生する悪臭を付着性粒子の消臭成分によって消臭することができる。噴射粒子の粒子径が２５℃、噴射距離１５ｃｍにおける積算体積分布での９０％粒子径で４０μｍ未満であると、粒子径が小さすぎるため、多くの粒子が露出部まで到達することが困難となり、十分な量の付着性粒子が形成されない。その結果、露出部に付着している悪臭源から継続的に発生する悪臭を効果的に消臭することが困難となる。一方、粒子径が６０μｍを超えると、粒子径が大きすぎるため、付着性粒子の挙動をコントロールし難くなり、露出部に適切に付着させることが困難となる。
【００４０】
さらに噴射粒子の粒子径は、２５℃、噴射距離１５ｃｍにおける積算体積分布での１０％粒子径が５μｍ以下、５０％粒子径が２０〜４０μｍに調整されていることがより好ましい。このような積算体積分布を有する噴射粒子は、粒子径の分布幅がブロードである。この結果、消臭用エアゾールから、エアゾール原液を処理空間に１回噴射すると、比較的大きな粒子径を有する付着性粒子と、比較的小さな粒子径を有する浮遊性粒子とが形成される。
【００４１】
浮遊性粒子は、付着性粒子より小さな粒子径として形成されるため、エアゾール原液が処理空間に噴射された際、速やかに拡散し、処理空間に浮遊することができる。そのため、処理空間において気中に滞留する悪臭を浮遊性粒子の消臭成分によって消臭することができる。このように、噴射されたエアゾール原液のうち一部が浮遊性粒子を形成するように、粒子径を上記のような最適な範囲に調整することにより、浮遊性粒子が付着性粒子とは異なった挙動を示すようになり、付着性粒子とともに効果的に悪臭を消臭することができる。
【００４２】
＜拡散シミュレーション＞
図１は、本発明に係る消臭用エアゾールを３ｍ３の処理空間に噴射したときの拡散シミュレーションの説明図である。図１の拡散シミュレーションに利用した薬剤濃度の解析手法について、以下に説明する。
【００４３】
薬剤濃度を解析するにあたり、時間の進行に伴い薬剤（エアゾール原液）が拡散していく状況を解析結果として出力した。最初に、気流算出手段により、風速、温度等の空間分布を定常状態になるまで解析し、次に、エアゾール製品から薬剤を発生させ、解析した風速分布等を用いて、濃度算出手段により、薬剤濃度の空間分布を定常解析により予測した。また、濃度分布の時間による変化を非定常解析により予測した。
【００４４】
気流算出手段は、シミュレーション空間において、３次元の移流拡散方程式を有限差分法により離散化して数値的に解くことにより、気流の速度及び気流の方向（風速、風向）・空気の温度（以下「気流状態」ということがある）を求める手段である。気流算出手段は、気流の速度及び方向、並びに圧力の各運動要素を変数とするナビエストークス式に基づくk−ε乱流モデル（運動量の輸送方程式（１）、乱流エネルギーの輸送方程式（２）、及び乱流消散率の輸送方程式（３）から構成される）、熱量の輸送方程式（４）、並びに連続の式（５）〜（８）から構成される前記移流拡散方程式について、各微小分割領域の隣接する格子点間で、微小時間ごとに有限差分法による数値解析を用いて繰り返し計算を行い、前記各格子点間の風速、風向、気温、及び風圧が所定の平衡状態となった場合において、その値をもって前記各格子点の予測風速データ、予測風向データ、及び予測気温データとして決定することができるように構成されている。
〔運動量の輸送方程式〕
【００４５】
【数１】
2019103820.tif 000002
〔乱流エネルギーの輸送方程式〕
【００４６】
【数２】
2019103820.tif 000003
〔乱流消散率の輸送方程式〕
【００４７】
【数３】
2019103820.tif 000004
〔熱量の輸送方程式〕
【００４８】
【数４】
2019103820.tif 000005
〔連続の式〕
【００４９】
【数５】
2019103820.tif 000006
【００５０】
Ｃ１，Ｃ２，Ｃ３，Ｃｔ：定数
Ｕｉ                  ：気流の瞬時風速ベクトルの各成分
Ｐ                  ：風圧
ρ                  ：空気の密度
ν                  ：動粘性係数
νｔ                  ：渦粘性係数
ｋ                  ：乱流エネルギー
ε                  ：乱流消散率
【００５１】
濃度算出手段は、シミュレーション空間において、対象とする薬剤に関し、３次元の濃度拡散支配方程式を有限差分法により離散化して数値的に解くことにより、濃度分布を求める手段である。すなわち、濃度算出手段は、算出された微小分割領域における各格子点での気流状態（予測風速データ、予測風向データ、及び予測気温データ）、並びに拡散物質の発生量を所与としたときに、薬剤（拡散物質）の輸送方程式（９）から構成される濃度拡散支配方程式について、各微小分割領域の隣接する格子点間で、微小時間ごとに有限差分法による数値解析を用いて繰り返し計算を行い、前記各格子点間の薬剤濃度が平衡状態となった場合において、その値をもって前記各格子点の予測薬剤濃度データの定常解として決定することができるように構成されている。さらに、繰り返し計算を行う過程で、微小時間の積算値と、その時間における各微小分割領域の薬剤濃度をあらかじめ決定した一定時間毎に記録することによって、予測薬剤濃度データの非定常解を決定することも可能である。また、拡散物質の発生量を無次元量とすることにより、予測薬剤濃度データを絶対値でなく、拡散物質の発生量に対応した相対値として予測することも可能である。
〔拡散物質の輸送方程式〕
【００５２】
【数６】
2019103820.tif 000007
【００５３】
Ｕｊ                  ：気流の瞬時風速ベクトルの各成分
Ｃ                  ：拡散物質の単位体積当たりの濃度
ｄ                  ：拡散物質の発生項
Ｄｍ                  ：拡散係数
【００５４】
解析対象は、図１（ａ）のように、約３ｍ３の処理空間（幅７８ｃｍ×奥行き１６９ｃｍ×天井高２３０ｃｍ）に使用者２、及び噴射口１ａを斜め上方に向けた消臭用エアゾール１を配した解析形状を設定した。この解析形状及び処理空間を解析格子に分割した。
【００５５】
解析条件は、風速０ｍ／秒に設定し、室内外の発熱・温度の影響は無視した。消臭用エアゾール１の噴射口１ａより、１回あたりの噴射容量を０．２ｍＬ、噴射口から２０ｃｍの距離での噴射力を２５℃において２．９ｇ・ｆに設定して、エアゾール原液を噴射して、拡散したエアゾール原液の気中濃度の空間分布の解析を実施した。
【００５６】
図１（ｂ）は、消臭用エアゾール１からエアゾール原液を処理空間に１回噴射してから、１０秒後、３０秒後、６０秒後、１２０秒後、及び１７０秒後のエアゾール原液の気中濃度（ｐｐｍ）を示す拡散シミュレーションの結果画像である。図１（ｂ）では、各画像においてエアゾール原液の気中濃度が０．０００７ｐｐｍである領域に符号Ａを付している。上記の解析により、図１（ｂ）に示されるように、噴射後、エアゾール原液は速やかに拡散し、噴射から６０秒後には処理空間の天井面から床面にまで到達し、噴射から１２０秒後には処理空間全体に拡散が進行する結果を得た。ここで「処理空間全体に拡散」とは、図１（ｂ）の１２０秒後の画像で示すように、処理空間の９５％以上の容量においてエアゾール原液の気中濃度が０．０００７ｐｐｍ以上となる状態である。ちなみに、人の通常のトイレ利用時間は５〜１５分程度であるため、トイレ空間全体へのエアゾール原液の拡散時間が１２０秒であれば、トイレ利用時間内に十分に消臭を行うことができる。さらに、噴射から１７０秒後には、処理空間全体のエアゾール原液の濃度が一様になるまで拡散している。そのため、噴射してから十分な時間が経過すると、付着性粒子は、処理空間内の壁面、床面、及び天井面の全ての表面への付着が完了し、付着した状態を維持する。そして、上記のとおり、露出部に付着している悪臭源から継続的に発生する悪臭を消臭成分によって消臭する。
【００５７】
一方、浮遊性粒子は、消臭成分が徐々に揮散してゆき、処理空間の気中に滞留している悪臭を消臭する。特にトイレでの悪臭には、アンモニア等による尿臭、及び硫化水素、メチルメルカプタン等による糞臭があり、アンモニアは空気より軽く、天井付近に滞留しがちであり、硫化水素、メチルメルカプタンは空気より重く床面付近に滞留しがちである。しかし、図１（ｂ）に示されるように、消臭用エアゾール１から噴射されたエアゾール原液は噴射から１２０秒後までに処理空間全体に満遍なく拡散するため、天井付近に滞留する悪臭、及び床面付近に滞留する悪臭の何れも浮遊性粒子により消臭することができる。なお、アンモニアはアルカリ性ガスであり、硫化水素及びメチルメルカプタンは酸性ガスである。エアゾール原液が、アルカリ性ガス及び酸性ガスの何れとも反応して中和することができる消臭成分を含有することで、何れの種類の臭気物質も化学的消臭により消臭することができる。上記の消臭成分としては、アルカリ性ガスと反応して中和することができる植物性消臭成分及び酸性ガスと反応して中和することができる植物性消臭成分の混合物、又はアルカリ性ガス及び酸性ガスの何れとも反応して中和することができる植物性消臭成分を用いることが好ましい。
【００５８】
このように、本発明に係る消臭用エアゾールは、噴射されたエアゾール原液から形成される粒子が挙動の異なる２種類の粒子であるため、夫々の粒子が最適な状態で存在し、夫々の役割を分担して消臭効果を最大限発揮することができる。このため、付着性粒子、及び浮遊性粒子によって、処理空間で気中に滞留する悪臭、及び処理空間内の露出部に付着している悪臭源から発生する臭気のどちらにも優れた消臭効果を発揮することができる。
【００５９】
なお、解析条件として、図１に示す拡散シミュレーションよりも噴射容量、及び噴射力を小さく設定する場合、例えば、１回あたりの噴射容量を０．１ｍＬ、噴射口から２０ｃｍの距離での噴射力を２５℃において０．４ｇ・ｆに設定するモデルでは、図１に示す拡散シミュレーションと同様に、エアゾール原液が速やかに処理空間全体に拡散するという拡散シミュレーションの結果が得られた。図１に示す拡散シミュレーションよりも噴射容量、及び噴射力を大きく設定する場合、例えば、１回あたりの噴射容量を０．４ｍＬ、噴射口から２０ｃｍの距離での噴射力を２５℃において７．０ｇ・ｆに設定するモデルでは、図１に示す拡散シミュレーションと同様に、エアゾール原液が速やかに処理空間全体に拡散するという拡散シミュレーションの結果が得られた。
【００６０】
以上のように、本発明に係る消臭用エアゾールからエアゾール原液を２．５〜３．５ｍ３の処理空間に１回噴射することで、即効性及び持続性に優れた消臭効果が得られる。２．５〜３．５ｍ３の空間は、一般住宅のトイレ空間（幅８０〜８５ｃｍ×奥行き１４０〜１８０ｃｍ×天井高２３０ｃｍ）の大きさに略相当する。従って、本発明に係る消臭用エアゾールであれば、一般住宅のトイレ等において、速やかに悪臭を消臭し、その消臭効果を長時間持続させることができる。また、本発明に係る消臭用エアゾールから処理空間に噴射されるエアゾール原液により形成される粒子のうち一部が浮遊性粒子として形成される。このため、処理空間に拡散しているエアゾール原液（浮遊性粒子）の濃度は、付着性粒子の分低減し、処理空間の濃度は低いものとなる。従って、浮遊性粒子からの芳香が低減され、強い芳香を好まない消費者に不快感を与えることを抑制することができる。
【実施例】
【００６１】
＜噴射力、粒子径の測定＞
本発明の特徴構成を備えた消臭用エアゾール（実施例１〜３）を準備し、噴射力を測定した。さらに、実施例１の消臭用エアゾールについて、噴射粒子の粒子径を測定した。消臭用エアゾールのエアゾール原液は、消臭成分として植物抽出物１．３５ｇ（１０ｗ／ｖ％）、及びハーモナイズド香料０．４ｇ（３ｗ／ｖ％）、並びに、有機溶剤としてエタノール（無水）を残分（バランス）混合し、全量１３．５ｍＬに調製した。
【００６２】
エアゾール原液１３．５ｍＬを噴射剤（主剤としてＬＰＧガス）３１．５ｍＬとともに定量噴射バルブ（０．２ｍＬ／プッシュ）付エアゾール缶に内圧０．４６ＭＰａで充填することにより、エアゾール原液（ａ）と噴射剤（ｂ）との容量比率（ａ／ｂ）が３０／７０となる全量４５ｍＬの消臭用エアゾールを作製し、これを実施例１とした。
【００６３】
エアゾール原液１３．５ｍＬを噴射剤（主剤としてＬＰＧガス）３１．５ｍＬとともに定量噴射バルブ（０．１ｍＬ／プッシュ）付エアゾール缶に内圧０．３５ＭＰａで充填することにより、エアゾール原液（ａ）と噴射剤（ｂ）との容量比率（ａ／ｂ）が３０／７０となる全量４５ｍＬの消臭用エアゾールを作製し、これを実施例２とした。
【００６４】
エアゾール原液１３．５ｍＬを噴射剤（主剤としてＬＰＧガス）３１．５ｍＬとともに定量噴射バルブ（０．４ｍＬ／プッシュ）付エアゾール缶に内圧０．５０ＭＰａで充填することにより、エアゾール原液（ａ）と噴射剤（ｂ）との容量比率（ａ／ｂ）が３０／７０となる全量４５ｍＬの消臭用エアゾールを作製し、これを実施例３とした。
【００６５】
噴射力の測定は、実施例１の消臭用エアゾールの噴射ボタンを１回押下し、噴射口から５ｃｍ、１０ｃｍ、及び２０ｃｍの距離でテンシロン（測定装置）の測定面に対して噴射し実施した。測定の結果、噴射口から５ｃｍの距離での噴射力は、２５℃において３．２ｇ・ｆであり、噴射口から１０ｃｍの距離での噴射力は、２５℃において３．２ｇ・ｆであり、噴射口から２０ｃｍの距離での噴射力は、２５℃において２．９ｇ・ｆであった。
【００６６】
実施例２及び３の消臭用エアゾールの噴射力の測定は、夫々の噴射ボタンを１回押下し、噴射口から２０ｃｍの距離でテンシロン（測定装置）の測定面に対して噴射し実施した。測定の結果、実施例２の消臭用エアゾールの噴射口から２０ｃｍの距離での噴射力は、２５℃において０．４ｇ・ｆであった。実施例３の消臭用エアゾールの噴射口から２０ｃｍの距離での噴射力は、２５℃において７．０ｇ・ｆであった。
【００６７】
粒子径の測定は、実施例１の消臭用エアゾールの噴射ボタンを１回押下し、レーザ回折・散乱法により、噴射口から１５ｃｍの距離で実施した。測定の結果、積算体積分布での１０％粒子径（Ｄｖ１０）は２．５μｍ、５０％粒子径（Ｄｖ５０）は３３．２μｍ、９０％粒子径（Ｄｖ９０）は５３．４μｍであった。
【００６８】
＜消臭効力試験＞
本発明の消臭用エアゾールについて、消臭効果を確認するため、実施例１と同様に作製した消臭用エアゾール（実施例４及び５）を準備し、嗅覚測定法による消臭効力試験を実施した。また、比較のため、本発明とは成分が異なる消臭用エアゾール（比較例１）を準備し、同様の消臭効力試験を実施した。
【００６９】
エアゾール原液に芳香剤として微量のシトラス香料を配合した以外は実施例１の消臭用エアゾールと同じ原材料及び製法で消臭用エアゾールを作製し、これを実施例４とした。エアゾール原液に芳香剤として微量のオレンジ香料を配合した以外は実施例１の消臭用エアゾールと同じ原材料及び製法で消臭用エアゾールを作製し、これを実施例５とした。
【００７０】
比較例１には、消臭成分として脂肪酸塩、殺菌成分として第四級アンモニウム塩、有機溶剤としてエタノールが配合されている従来市販の消臭用エアゾールを用いた。
【００７１】
消臭効力試験では、３ｍ３の処理空間において、糞尿模擬臭を呈する所定量の臭気物質を散布した。その後、処理空間において消臭用エアゾールを１回噴射して、噴射直後（０分後）、５分後、１０分後、２０分後、３０分後、及び６０分後に処理空間内の臭気を、パネラーが９段階快・不快度表示法により評価した。ただし、比較例１の消臭用エアゾールは、定量噴射バルブが設けられていないエアゾール製品であるため、１回の定量噴射の実施に換えて、比較例１の用法に従い１秒間の連続噴射を実施した。噴射量は、消臭用エアゾールを噴射前後に計量し、その重量差より求めた。
【００７２】
９段階快・不快度表示法の評価基準は、芳香消臭脱臭剤協議会の効力試験方法に準拠し、「＋４：極端に快」、「＋３：非常に快」、「＋２：快」、「＋１：やや快」、「０：快でも不快でもない」、「−１：やや不快」、「−２：不快」、「−３：非常に不快」、「−４：極端に不快」とした。臭気物質を散布後、消臭用エアゾールを未処理の場合の評価は、−３であった。実施例４、５、及び比較例１における消臭効力試験の結果（快・不快度）を表１に示す。
【００７３】
【表１】
2019103820.tif 000008
【００７４】
消臭効力試験の結果、実施例４及び５の何れでも、全試験期間において「＋１：やや快」の評価を下回ることがなかった。具体的には、実施例４の消臭用エアゾールは、噴射から０分後、５分後、及び１０分後の各時点で、柑橘の芳香が確認された。噴射から２０分後以降は、芳香はなくなったが、糞尿模擬臭はハーモナイズされていた。実施例５の消臭用エアゾールは、噴射から５分後までオレンジの芳香が確認された。噴射から１０分以降は、芳香が徐々に減少したが、糞尿模擬臭はハーモナイズされていた。
【００７５】
一方、比較例１の消臭用エアゾールは、噴射から０分後に糞尿疑似臭が確認され、噴射から５分後に糞尿模擬臭が消失した。しかし、噴射１０分後には再び糞尿模擬臭が生じ、その後、噴射から６０分後まで糞尿模擬臭が次第に強くなっていった。
【００７６】
このように、本発明品である実施例４及び５の消臭用エアゾールは、市販品である比較例１と比べて、即効性、持続性の何れの面でも優れた消臭効果を示した。
【００７７】
＜化学的消臭効力試験＞
実施例１及び４の消臭用エアゾールについて、機器測定法による化学的消臭効力試験を実施した。試験方法は、芳香消臭脱臭剤協議会の消臭効力試験法に準拠し、１０Ｌプラスチック容器に悪臭成分（アンモニア）を注入、充満させた後、消臭用エアゾールを１回噴射した。容器内のアンモニア濃度を、消臭用エアゾール噴射前、噴射１時間後、及び、噴射１０時間後にガス検知管を用いて測定し、下記の式で噴射１時間後、及び、噴射１０時間後のそれぞれの減衰率を算出した。
減衰率（％）  ＝  １００  −  ｛噴射後アンモニア濃度（ｐｐｍ）／噴射前アンモニア濃度（ｐｐｍ）｝×１００
実施例１及び４における化学的消臭効力試験の結果（減衰率）を表２に示す。
【００７８】
【表２】
2019103820.tif 000009
【００７９】
化学的消臭効力試験の結果、実施例１及び４の何れでも、噴射１時間後の減衰率が６０％以上あり、噴射１０時間後の減衰率はさらに上昇して８７％であった。このように、実施例１及び４の消臭用エアゾールは、噴射から１０時間にわたる持続的な消臭効果を示した。
【産業上の利用可能性】
【００８０】
本発明の消臭用エアゾールは、処理空間の悪臭を消臭するために使用されるものであり、トイレ用の消臭剤として好適に利用可能であるが、居間、寝室、玄関、台所、浴室等の生活空間における消臭用途にも利用可能である。
【符号の説明】
【００８１】
１      消臭用エアゾール
１ａ    噴射口
【図１】
2019103820.tif 000010